【手続補正書】
【提出日】平成18年6月9日(2006.6.9)
【手続補正１】
【補正対象書類名】明細書
【補正対象項目名】特許請求の範囲
【補正方法】変更
【補正の内容】
【特許請求の範囲】
【請求項１】
放射線を２次元に曝射する放射線源と、
前記放射線源により曝射された放射線を検出するように配置された２次元の放射線検出手段と、
前記放射線源及び前記放射線検出手段に対して、相対的に被検体が回転するように駆動する回転手段と、
前記回転手段に装着された、前記放射線源により曝射される放射線から回転軸方向について前記放射線検出手段の検出領域の一部を覆う大きさの水ファントムの設置位置を前記回転手段により前記回転軸方向に動かしながら、前記検出領域の全領域で前記水ファントムの放射線撮影を行って得たデータを用いて、被検体を放射線撮影して得たデータの水補正を行う補正手段と
を有することを特徴とする放射線撮像装置。
【請求項２】
前記補正手段は、前記放射線源により曝謝された放射線を前記放射線検出手段により直接検出して得たデータを更に用いて、前記水補正を行うことを特徴とする請求項１に記載の放射線撮像装置。
【請求項３】
前記放射線源の放射線の曝射量を測定する曝射量検出手段を更に有し、
前記補正手段は、前記曝射量検出手段により測定された曝射量データを更に用いて、前記水補正を行うことを特徴とする請求項１に記載の放射線撮像装置。
【請求項４】
前記回転手段は、前記放射線源及び前記放射線検出手段に対して、被検体を回転させることを特徴とする請求項１乃至３のいずれかに記載の放射線撮像装置。
【請求項５】
前記回転手段は、被検体に対して、前記放射線源及び前記放射線検出手段を回転させることを特徴とする請求項１乃至３のいずれかに記載の放射線撮像装置。
【請求項６】
前記水ファントムは、前記放射線源により曝射される放射線から、前記回転軸方向について前記検出領域の略半分の領域を覆う大きさであることを特徴とする請求項１乃至５のいずれかに記載の放射線撮像装置。
【請求項７】
放射線を２次元に曝射する放射線源と、前記放射線源により曝射された放射線を検出するように配置された２次元の放射線検出手段と、前記放射線源及び前記放射線検出手段に対して、相対的に被検体が回転するように駆動する回転手段と、補正手段とを有する放射線撮像装置における、前記放射線源により曝射される放射線から、回転軸方向について前記放射線検出手段の検出領域の一部を覆う大きさの水ファントムを用いた水補正方法であって、
前記回転手段により前記水ファントムの設置位置を回転軸方向に動かしながら、前記検出領域の全領域で前記水ファントムを放射線撮影して得られた第１のデータと、前記放射線源により曝謝された放射線を前記放射線検出手段により直接検出して得た第２のデータとを前記補正手段に取り込む工程と、
被検体を放射線撮影して得た第３のデータを前記補正手段に取り込み、前記補正手段において、該第３のデータに対して、前記第１及び第２のデータに基づいて水補正を行う工程と
を有することを特徴とする水補正方法。
【請求項８】
放射線を２次元に曝射する放射線源と、前記放射線源により曝射された放射線を検出するように配置された２次元の放射線検出手段と、前記放射線源の放射線の曝射量を測定する曝射量検出手段と、前記放射線源及び前記放射線検出手段に対して、相対的に被検体が回転するように駆動する回転手段と、補正手段とを有する放射線撮像装置における、前記放射線源により曝射される放射線から、回転軸方向について前記放射線検出手段の検出領域の一部を覆う大きさの水ファントムを用いた水補正方法であって、
前記回転手段により前記水ファントムの設置位置を回転軸方向に動かしながら、前記検出領域の全領域で前記水ファントムを放射線撮影して得られた第１のデータを前記補正手段に取り込む工程と、
前記曝射量検出手段により曝射量を測定して得られた第２のデータを前記補正手段に取り込む工程と、
被検体を放射線撮影して得た第３のデータを前記補正手段に取り込み、前記補正手段において、該第３のデータに対して、前記第１及び第２のデータに基づいて水補正を行う工程と
を有することを特徴とする水補正方法。
【請求項９】
放射線を２次元に曝射する放射線源と、
前記放射線源により曝射された放射線を検出するように配置された２次元の放射線検出手段と、
前記放射線源及び前記放射線検出手段に対して、相対的に被検体が回転するように駆動する回転手段と、
前記回転手段の回転に伴って前記２次元放射線検出手段により撮影された複数のＸ線画像中の各画像における直接Ｘ線領域を認定する認定手段と、
前記認定された領域に入射した画素値をもとに前記Ｘ線画像をゲイン補正するゲイン補正手段と
を有することを特徴とする放射線撮像装置。
【手続補正２】
【補正対象書類名】明細書
【補正対象項目名】００１５
【補正方法】変更
【補正の内容】
【００１５】
【課題を解決するための手段】
上記目的を達成するために、本発明の放射線撮像装置は、放射線を２次元に曝射する放射線源と、前記放射線源により曝射された放射線を検出するように配置された２次元の放射線検出手段と、前記放射線源及び前記放射線検出手段に対して、相対的に被検体が回転するように駆動する回転手段と、前記回転手段に装着された、前記放射線源により曝射される放射線から回転軸方向について前記放射線検出手段の検出領域の一部を覆う大きさの水ファントムの設置位置を前記回転手段により前記回転軸方向に動かしながら、前記検出領域の全領域で前記水ファントムの放射線撮影を行って得たデータを用いて、被検体を放射線撮影して得たデータの水補正を行う補正手段とを有することを特徴とする。
【手続補正３】
【補正対象書類名】明細書
【補正対象項目名】００１６
【補正方法】変更
【補正の内容】
【００１６】
また、放射線を２次元に曝射する放射線源と、前記放射線源により曝射された放射線を検出するように配置された２次元の放射線検出手段と、前記放射線源及び前記放射線検出手段に対して、相対的に被検体が回転するように駆動する回転手段と、補正手段とを有する放射線撮像装置における、前記放射線源により曝射される放射線から、回転軸方向について前記放射線検出手段の検出領域の一部を覆う大きさの水ファントムを用いた本発明の水補正方法は、前記回転手段により前記水ファントムの設置位置を回転軸方向に動かしながら、前記検出領域の全領域で前記水ファントムを放射線撮影して得られた第１のデータと、前記放射線源により曝謝された放射線を前記放射線検出手段により直接検出して得た第２のデータとを前記補正手段に取り込む工程と、被検体を放射線撮影して得た第３のデータを前記補正手段に取り込み、前記補正手段において、該第３のデータに対して、前記第１及び第２のデータに基づいて水補正を行う工程とを有することを特徴とする。
【手続補正４】
【補正対象書類名】明細書
【補正対象項目名】００１７
【補正方法】変更
【補正の内容】
【００１７】
また、本発の別の構成によれば、放射線を２次元に曝射する放射線源と、前記放射線源により曝射された放射線を検出するように配置された２次元の放射線検出手段と、前記放射線源の放射線の曝射量を測定する曝射量検出手段と、前記放射線源及び前記放射線検出手段に対して、相対的に被検体が回転するように駆動する回転手段と、補正手段とを有する放射線撮像装置における、前記放射線源により曝射される放射線から、回転軸方向について前記放射線検出手段の検出領域の一部を覆う大きさの水ファントムを用いた本発明の水補正方法において、前記回転手段により前記水ファントムの設置位置を回転軸方向に動かしながら、前記検出領域の全領域で前記水ファントムを放射線撮影して得られた第１のデータを前記補正手段に取り込む工程と、前記曝射量検出手段により曝射量を測定して得られた第２のデータを前記補正手段に取り込む工程と、被検体を放射線撮影して得た第３のデータを前記補正手段に取り込み、前記補正手段において、該第３のデータに対して、前記第１及び第２のデータに基づいて水補正を行う工程とを有することを特徴とする。
また、別の構成によれば、本発明の放射線撮像装置は、放射線を２次元に曝射する放射線源と、前記放射線源により曝射された放射線を検出するように配置された２次元の放射線検出手段と、前記放射線源及び前記放射線検出手段に対して、相対的に被検体が回転するように駆動する回転手段と、前記回転手段の回転に伴って前記２次元放射線検出手段により撮影された複数のＸ線画像中の各画像における直接Ｘ線領域を認定する認定手段と、前記認定された領域に入射した画素値をもとに前記Ｘ線画像をゲイン補正するゲイン補正手段とを有する。
【手続補正５】
【補正対象書類名】図面
【補正対象項目名】図１
【補正方法】変更
【補正の内容】
【図１】
2005000297.tif 000001
【手続補正６】
【補正対象書類名】図面
【補正対象項目名】図３
【補正方法】変更
【補正の内容】
【図３】
2005000297.tif 000002